(57)【要約】  【課題】本発明は、ラベル基体に粘着剤を介して剥離紙が設けられて、後に剥離紙にラベルを残存させてラベルカスと分離することで連続ラベルとさせる連続ラベル製造装置に関し、ラベルを剥離紙上に確実に残存させて歩留りの低下、製造効率の低下を回避させることを目的とする。  【解決手段】ラベル連続体１２のラベル基体２１を、カス上げローラ１６においてラベル断裁線２４で形成されたラベル部２５の領域を剥離紙２３上に残存させて当該剥離紙２３から分離させ、当該カス上げローラ２１で分離されて搬送されるラベル基体２１Ａのラベルカスに残るラベル部領域間のラベルカス中間部２６で回転する回転押え部１７の備える所定数の押え羽根１７Ａでラベル基体２１のラベル２５Ａとなるラベル部２５を剥離紙２３側に押さえて残存させる構成とする。  【選択図】  図１
2008055661.tif 000002
【特許請求の範囲】
【請求項１】
ラベル基体に粘着剤を介して剥離紙が設けられたラベル連続体に対し、当該ラベル基体上に所定間隔でラベルとなるラベル部の領域がラベル断裁線で形成され、搬送上で当該ラベル部の領域を上記剥離紙上に残存させ、当該ラベル部の領域以外のラベルカスを当該剥離紙より分離させることで、剥離紙上にラベルが所定数形成された連続ラベルを製造する連続ラベル製造装置であって、
前記ラベル連続体のラベル基体を、前記ラベル部の領域を前記剥離紙上に残存させて当該剥離紙から分離させるためのローラと、
前記ローラで分離されて搬送されるラベル基体のラベルカスに残る前記ラベル部領域間のラベルカス中間部で回転する所定数の押え羽根を備え、当該回転する押え羽根でラベル基体のラベルとなるラベル部を前記剥離紙側に押さえて残存させる回転押え部と、
前記ラベルカスをそれぞれ巻き取る巻取部と、
を有することを特徴とする連続ラベル製造装置。
【発明の詳細な説明】
【技術分野】
【０００１】
本発明は、ラベル基体に粘着剤を介して剥離紙が設けられて、後に剥離紙にラベルを残存させてラベルカスと分離することで連続ラベルとさせる連続ラベル製造装置に関する。
【背景技術】
【０００２】
従来、宛名書やハガキにおける秘匿情報の隠蔽等のためにラベルを使用することが多くなっている。一般に、剥離紙上に複数のラベルを連続させた連続ラベルとして提供されるもので、このような連続ラベルの製造は、以前より下記特許文献等に開示されているような手法で行われている。
【０００３】
【特許文献１】特開２００３−１７１０５９号公報
【０００４】
そこで、図４及び図５に、従来のラベル連続体から連続ラベル製造の説明図を示す。図４（Ａ）、（Ｂ）は、上記特許文献の図１の基本的部分を示したもので、ラベル連続体１０１は、ラベル基体１０２が粘着剤１０３を介して剥離紙１０４が設けられ、当該ラベル基体１０２上に所定間隔でラベル部１０６となる断裁線１０５が形成される。この断裁線１０５は理想的にはラベル基体１０２及び粘着剤１０３のみに切り目が入れられたものである。
【０００５】
そして、上記ラベル連続体１０１を搬送し、図４（Ｂ）に示すように、カス上げローラ１１１の部分でラベル基体１０２のみを粘着剤１０３が取着された状態で分離させることによりラベル部１０６がラベル１０６Ａとして剥離紙１０４に残存させた連続ラベル１０７とされる。分離されたラベル基体１０２はラベルカスとして図示しない巻取部により巻き取られるものである。
【発明の開示】
【発明が解決しようとする課題】
【０００６】
しかしながら、ラベル基体１０２（粘着剤１０３）に断裁線１０５を形成するにあたり、図５（Ａ）に示すように、粘着剤１０３の層全部に断裁線が形成されずに層中間までしか切り目が形成されなかった場合や、また、図５（Ｂ）に示すように、粘着剤１０３の層全部には切り目が形成されても粘着剤１０３が断裁線１０５（切り目）側に張り出して粘着剤同士が接着するという事態を生じる。このような状態で、カス上げを行うと、図４（Ｂ）に示すように、ラベル１０６Ａとなるラベル部１０６が剥離紙１０４より剥がれてラベルカスの方に残ったままとなって、歩留りの低下、製造効率の低下を招くという問題がある。なお、カス上げローラ１１１を、ラベル連続体１０１の搬送方向に対して斜めに配置してもラベル部１０６をラベルカス側から剥離紙１０４に確実に残存させることができないという問題が残る。
【０００７】
そこで、本発明は上記課題に鑑みなされたもので、ラベルを剥離紙上に確実に残存させて歩留りの低下、製造効率の低下を回避させる連続ラベル製造装置を提供することを目的とする。
【課題を解決するための手段】
【０００８】
上記課題を解決するために、請求項１の発明では、ラベル基体に粘着剤を介して剥離紙が設けられたラベル連続体に対し、当該ラベル基体上に所定間隔でラベルとなるラベル部の領域がラベル断裁線で形成され、搬送上で当該ラベル部の領域を上記剥離紙上に残存させ、当該ラベル部の領域以外のラベルカスを当該剥離紙より分離させることで、剥離紙上にラベルが所定数形成された連続ラベルを製造する連続ラベル製造装置であって、前記ラベル連続体のラベル基体を、前記ラベル部の領域を前記剥離紙上に残存させて当該剥離紙から分離させるためのローラと、前記ローラで分離されて搬送されるラベル基体のラベルカスに残る前記ラベル部領域間のラベルカス中間部で回転する所定数の押え羽根を備え、当該回転する押え羽根でラベル基体のラベルとなるラベル部を前記剥離紙側に押さえて残存させる回転押え部と、前記ラベルカスをそれぞれ巻き取る巻取部と、を有する構成とする。
【発明の効果】
【０００９】
本発明によれば、ラベル連続体のラベル基体が、形成されたラベル部の領域をローラで剥離紙上に残存させて当該剥離紙から分離され、その時にラベルカスに残るラベル部領域間のラベルカス中間部で回転する回転押え部の備える所定数の押え羽根でラベル基体のラベルとなるラベル部を剥離紙側に押さえて残存させる構成とすることにより、回転押え部がラベルを剥離紙上に確実に残存させてラベルカスを剥離紙から分離させることができ、歩留りの低下、製造効率の低下を回避させることができるものである。
【発明を実施するための最良の形態】
【００１０】
以下、本発明の最良の実施形態を図により説明する。本発明に係る連続ラベル製造装置で製造されるラベルは、宛名書や情報隠蔽のためのものの他に、例えばＩＣチップを搭載してアンテナが形成されたＲＦＩＤ用ラベルにおいても適用することができるものである。
【００１１】
図１に、本発明に係る連続ラベル製造装置の構成図を示す。図１（Ａ）は連続ラベル製造装置の全体概略図、図１（Ｂ）はラベル基体の分離部分の構成説明図である。図１（Ａ）、（Ｂ）において、連続ラベル製造装置１１は、ロール状のラベル連続体１２がラベル連続体供給部１３より供給される。このラベル連続体１２は、図１（Ｂ）に示すように、ラベル基体２１に粘着剤２２を介して剥離紙２３が設けられたものである。ラベル基体２１は、例えば紙製又は樹脂製のもので、粘着剤２２は従前よりラベルに使用される接着剤が適用される。また、剥離紙２３は、例えば紙製のもので、粘着剤２２側にシリコーン等の剥離剤がコーティングされたものである。
【００１２】
上記ラベル連続体１２の搬送上に断裁線形成部１４が配置される。当該断裁線形成部１４は、図１（Ｂ）に示すように、ラベル連続体１２のラベル基体２１上に所定間隔でラベル部２５の領域を形成させるラベル断裁線２４を形成するもので、当該ラベル断裁線２４を形成するための断裁刃１５を備える。
【００１３】
上記断裁線形成部１４の搬送方向上には、カス上げローラ１６が配置される。当該カス上げローラ１６は、ラベル基体２１を、ラベル部２５の領域を剥離紙２３上に残存させて当該剥離紙２３から分離させるためのものである。当該カス上げローラ１６から分岐された位置に回転押え部１７が配置され、その搬送方向上に、巻取部であるカス巻取ローラ１８が配置されてラベルカス２１Ａを巻き取る。
【００１４】
上記回転押え部１７は、カス上げローラ１６で分離されて搬送されるラベル基体２１のラベルカス２１Ａに残るラベル部領域間のラベルカス中間部２６で回転する所定数（ここでは８枚とする）の押え羽根１７Ａを備え、当該回転する押え羽根１７Ａでラベル基体２１のラベル２５Ａとなるラベル部２５を剥離紙２３側に押さえて残存させるものである。上記抑え羽根１７Ａは、例えば可撓性とさせる厚さの樹脂板等で形成される。
【００１５】
一方、ラベルカス２１Ａのラベル基体２１が分離された剥離紙２３上にはラベル部領域のラベル２５Ａを残存させた連続ラベル１９が連続ラベル巻取部２０に巻き取られるものである。なお、ラベル基体２１のラベル部２５上に所定の印刷を行う場合には、断裁線形成部１４の前段又は後段に印刷部を配置してもよい。
【００１６】
ここで、図２に、図１の回転押え部の原理説明図を示す。まず、図１に示す回転押え部１７の抑え羽根１７Ａを等角度で８枚として、ラベル連続体１２上のラベル部２５のそれぞれと当接させて押さえ付けるための当該抑え羽根１７Ａの長さ（ラベル連続体１２に対する回転押え部１７の配置位置）について説明する。
【００１７】
すなわち、図２（Ａ）において、ラベル連続体１２のラベル基体２１上に、ラベル断裁線２４により形成されるラベル部２５の搬送方向の長さをＸ、ラベル部２５の各領域間のラベルカス中間部２６の搬送方向の長さをＹとした場合に、図２（Ｂ）に示すように、回転押え部１７の抑え羽根１７Ａの長さＬは、
ｃｏｓα＝Ｌ／（Ｙ＋Ｘ／２）
から、
Ｌ＝（２Ｘ＋Ｙ）／２ｃｏｓα
で示される。なお、Ｘ／２としているのは、抑え羽根１７Ａの先端部分をラベル部２５の略中央位置に当接させることを意味している。この抑え羽根１７Ａの長さが当該回転押え部１７のラベル連続体１２に対する配置位置となるものであり、上記式は、抑え羽根１７Ａを等角度で２枚以上とした場合に適用することができる。
【００１８】
そこで、図２（Ｂ）に示すように、回転押え部１７の一の抑え羽根１７Ａがラベル部Ｃをラベル２５Ａとして剥離紙２３側に押さえ付けた後、当該抑え羽根１７Ａは搬送されるラベル部Ｂとラベル部Ｃと間のラベルカス中間部２６に当接されて反時計方向に回転される（図２（Ｃ））。このとき、ラベルカス中間部２６に当接された抑え羽根１７Ａの左隣の抑え羽根１７Ａにより、その回転力によってラベル部Ｂが剥離紙２３側に押さえ付けられることになる（図２（Ｄ））。
【００１９】
そして、ラベルカス２１Ａが搬送されて、ラベル部Ｂを押さえ付けた抑え羽根１７Ａが、搬送されるラベル部Ａとラベル部Ｂと間のラベルカス中間部２６に当接されることとなり（図２（Ｅ））、図２（Ｂ）の状態と同様となるもので、これらが繰り返されるものである。すなわち、回転押え部１７Ａは、回転のための動力を何ら必要とせずにラベルカス２１Ａの巻き取り搬送によってで回転され、当該回転によって、次々にラベル部２５をラベル２５Ａとして剥離紙２３側に押さえ付けるものである。
【００２０】
続いて、図３に、図１のラベル連続体から連続ラベルを製造する説明図を示す。まず、図１に示す連続ラベル製造装置１１において、ラベル基体２１に粘着材２２を介して剥離紙２３が設けられたラベル連続体１２がラベル連続体供給部１３より断裁線形成部１４に供給される。断裁線形成部１４では、ラベル基体２１に対して所定間隔毎に、後にラベル２５Ａとなるラベル部２５の領域にラベル断裁線２４を形成する。そして、ラベル基体２１にラベル断裁線２４が形成されたラベル連続体１２は、カス上げローラ１６を介してラベル部２５をラベル２５Ａとして剥離紙２３上に残存させた残りのラベルカス２１Ａをカス巻取部１８にセットする。
【００２１】
そこで、当該連続ラベル製造装置１１の連続駆動により、ラベル断裁線２４により形成されたラベル連続体１２は、カス上げローラ２１の位置において、搬送されるラベル基体２１（ラベルカス）を、ラベル部２５の領域のラベル２５Ａを剥離紙２３上に残存させるべく分離され、その時にラベルカス２１Ａの搬送によるラベルカス中間部２６によって回転押え部１７が回転される。
【００２２】
すなわち、図３に示すように、回転される回転押え部１７の一の抑え羽根１７Ａがラベル基体２１の対応するラベル部２５をラベル２５Ａとして剥離紙２３上に押さえ付けて残存させる。当該ラベルカス２１Ａが巻き取られて搬送されている間は、回転押え部１７がラベルカス中間部２６との当接で回転されて、順次対応の抑え羽根１７Ａがラベル部２５をラベル２５Ａとして剥離紙２３上に押さえ付けていくものである。
【００２３】
そして、分離されたラベルカス２１Ａカス巻取ローラ１８に巻き取られ、一方で、ラベル２５Ａを残存させた剥離紙２３が連続ラベル１９として連続ラベル巻取部２０に巻き取られるものである。
【００２４】
このように、ラベル連続体１２において形成されるラベル断裁線１５による粘着剤１３が前述の図６（Ａ）、（Ｂ）のような状態であっても、回転押え部１７がラベル２５Ａを剥離紙２３上に確実に残存させてラベルカス２１Ａを剥離紙２３から分離させることができ、歩留りの低下、製造効率の低下を回避させることができるものである。なお、上記回転押え部１７は、ラベルカス２１Ａのラベルカス中間部２６の巻き取り搬送で回転させることで特別な動力を必要としないことから装置の簡易化を図ることができるものであるが、当該回転押え部１７をモータ等の動力で回転させてもラベル２５Ａを剥離紙２３上に確実に残存させることができるものである。
【産業上の利用可能性】
【００２５】
本発明の連続ラベル製造装置は、ラベル連続体が粘着剤を介して剥離紙が設けられて剥離紙にラベルのみを残存させて連続ラベルとさせるに適する。
【図面の簡単な説明】
【００２６】
【図１】本発明に係る連続ラベル製造装置の構成図である。
【図２】図１の回転押え部の原理説明図である。
【図３】図１のラベル連続体から連続ラベルを製造する説明図である。
【図４】従来のラベル連続体から連続ラベル製造の説明図（１）である。
【図５】従来のラベル連続体から連続ラベル製造の説明図（２）である。
【符号の説明】
【００２７】
１１            連続ラベル製造装置
１２            ラベル連続体
１４            断裁線形成部
１６            カス上げローラ
１７            回転押え部
１７Ａ          抑え羽根
１９            連続ラベル
２１            ラベル基体
２２            粘着剤
２３            剥離紙
２４            ラベル断裁線
２５            ラベル部
２５Ａ          ラベル
２６            ラベルカス中間部
【図１】
2008055661.tif 000003
【図２】
2008055661.tif 000004
【図３】
2008055661.tif 000005
【図４】
2008055661.tif 000006
【図５】
2008055661.tif 000007